(57)【要約】【課題】マガジン毎の挿抜操作を検知することにより、挿抜が行われていないマガジンについてのインベントリ処理の省略を可能とする、マガジンの挿抜表示装置及びこれを備えたライブラリ装置を提供する。【解決手段】筐体１内の挿抜動作領域２内を移動して格納されるマガジン１０に設けられて、筐体１側から挿抜動作領域２に向けて突出する突出部材３により操作されるフラグ機構２０を具備し、該フラグ機構２０は、突出部材３との接触により操作されるフラグ部材Ｆを有し、マガジン１０が筐体１の挿抜動作領域２内の所定範囲にわたって移動して突出部材３と接触した際に、該突出部材３によりフラグ部材Ｆが移動操作されることを特徴とする。【選択図】図１
2014186765.tif 000002
【特許請求の範囲】
【請求項１】
筐体内の挿抜動作領域内を移動して格納されるマガジンに設けられて、前記筐体側から前記挿抜動作領域に向けて突出する突出部材により操作されるフラグ機構を具備し、
該フラグ機構は、前記突出部材との接触により操作されるフラグ部材を有し、前記マガジンが前記筐体の挿抜動作領域内を移動して、前記突出部材と接触した際に、該突出部材により前記フラグ部材が移動操作されることを特徴とするマガジンの挿抜表示装置。
【請求項２】
前記フラグ機構は、前記マガジンが前記筐体の挿抜動作領域内の所定範囲にわたって挿抜方向に沿って移動して、前記突出部材と接触した際に、該突出部材により、前記フラグ部材が前記マガジンの挿抜動作領域の内側の退避位置から前記挿抜動作領域の外側の突出位置へ移動させられることを特徴とする請求項１に記載のマガジンの挿抜表示装置。
【請求項３】
前記フラグ機構は、
前記フラグ部材を前記マガジンの挿抜動作領域の外側へ突出する方向へ付勢する第1の弾性部材と、
この弾性部材の弾性力に抗して前記フラグ部材の一部に係合して前記フラグ部材を前記挿抜動作領域内に支持するロック部材と、
このロック部材を前記挿抜動作に伴って操作し、前記マガジンの挿抜方向と交差する方向に移動可能に支持された操作部材と、
この操作部材を前記挿抜動作領域の外側へ突出する方向へ付勢する第２の弾性部材と、
前記操作部材と前記筐体内の突出部材との間に設けられて、前記マガジンの抜き方向への動作を前記操作部材の内側への移動に変換する変換部と、をさらに有することを特徴とする請求項１又は２のいずれか１項に記載のマガジンの挿抜表示装置。
【請求項４】
前記変換部は、前記マガジンを筐体の挿抜動作領域から挿抜する場合に、前記操作部材と前記突出部材とが接触する箇所のいずれか一方に設けられた傾斜面であることを特徴とする請求項３に記載のマガジンの挿抜表示装置。
【請求項５】
請求項1から４のいずれか1項に記載のマガジンの挿抜表示装置を備えたライブラリ装置であって、
前記筐体内には、前記マガジンに収納されるカートリッジに対する情報の記録及び該カートリッジに記録されている情報の読み出しを行うドライブ装置と、前記マガジンからのカートリッジの取り出し、収容及び搬送を行うアクセッサと、が具備され、
前記アクセッサには、前記マガジンに設けられた前記フラグ機構のフラグ部材が突出位置にあるか否かを検出するセンサシャフトが更に設けられていることを特徴とするライブラリ装置。
【請求項６】
前記アクセッサのセンサシャフトは、前記筐体内の挿抜動作領域内に複数のマガジンが収容されている場合に、前方側のマガジンから後方側のマガジンに向けて順次、前記フラグ部材が突出位置にあるか否かを検出することを特徴とする請求項５に記載のライブラリ装置。
【請求項７】
前記アクセッサには、前記マガジンに付された記録コードを読み取るインベントリ処理を行うための検出手段がさらに備えられていることを特徴とする請求項５又は６のいずれか1項に記載のライブラリ装置。
【発明の詳細な説明】
【技術分野】
【０００１】
本発明は、マガジンの挿抜表示装置及びこれを備えたライブラリ装置に関する。
【背景技術】
【０００２】
データを読み書きできる記録媒体を収容したカートリッジをマガジンに複数挿入して所定位置にセットし、このマガジンに挿入された前記カートリッジ内の記録媒体に対してドライブ装置によりデータの読み書きを行うライブラリ装置が知られている。このライブラリ装置では、前記カートリッジがライブラリ装置内のマガジンのどの位置に装填されているかを確認するインベントリ処理が行われている。
【０００３】
例えば、特許文献1に示される媒体収納装置では、電源がオフ時における磁気テープマガジンの排出動作に連動して所定の状態になる連動部材と、磁気テープマガジンの装填が完了した後で装置の電源がオフになる前に、前記連動部材の状態を検出し、媒体収納装置の制御手段へ通知する検出通知手段とが設けられている。
この媒体収納装置において、制御手段は、一旦電源オフとなった媒体収納装置の電源がオンに立ち上げられた際、電源がオフ時の連動部材の状態と、電源がオフになる前のオン時の連動部材の状態とを比較し、その比較結果から、電源オフの期間に筐体から磁気テープマガジンが挿抜されたか否かにより、電源オンに際してのインベントリ処理の要否を判断している。すなわち、電源オフの間に磁気テープマガジンが挿抜操作されることにより、他のカートリッジに入れ替えられたと推定し、再度インベントリ処理を行うことが必要とされる。
【先行技術文献】
【特許文献】
【０００４】
【特許文献１】特開２０１１−７０７５７号公報
【発明の概要】
【発明が解決しようとする課題】
【０００５】
ところで、上記の媒体収納装置では、分割されていない一体構造のマガジンについての挿抜を検出する構成であるので、例えば、マガジンが前マガジンと後マガジンからなる場合、これら２つのマガジンの挿抜を個別に検出することができない。このため、前マガジンのみが挿抜された場合であっても、装置の電源ＯＮ時に、挿抜が行われていない後マガジンについて該マガジンに付された記録コードの読み取るインベントリ処理を実施するなどの無駄な処理を行ってしまうという問題がある。また、操作者が誤ってカートリッジの抜き差しを複数回繰り返すによって、あるいは誤って連動部材に触れることによって、連動部材が抜き差しされない場合と同様の状態に戻されると、必要なインベントリ処理が行われないという問題がある。
【０００６】
この発明は、上述した事情に鑑みてなされたものであって、無用なインベントリ処理の実行を防止しつつ、インベントリ処理実行の要否を確実に判断することができるインベントリ処理マガジンの挿抜表示装置及びこれを備えたライブラリ装置を提供するものである。
【課題を解決するための手段】
【０００７】
上記課題を解決するために、この発明は以下の手段を提案している。
本発明は、筐体内の挿抜動作領域内を移動して格納されるマガジンに設けられて、前記筐体側から前記挿抜動作領域に向けて突出する突出部材により操作されるフラグ機構を具備し、該フラグ機構は、前記突出部材との接触により操作されるフラグ部材を有し、前記マガジンが前記筐体の挿抜動作領域内を移動して、前記突出部材と接触した際に、該突出部材により前記フラグ部材が移動操作されることを特徴とする。
【発明の効果】
【０００８】
本発明によれば、筐体の挿抜動作領域からマガジンが挿抜された場合に、該筐体側の突出部材が、フラグ機構のフラグ部材を移動させるようにしている。これにより、筐体の挿抜動作領域でマガジンが抜き出しあるいは挿入操作されると、前記フラグ部材の位置が変更されることとなり、当該フラグ部材の位置を目視確認する、あるいは筐体内に設けられたセンサで検出することにより、該マガジンが抜き出しあるいは挿入されたか否かを認識することができる。
そして、この認識結果に基づき、筐体から挿抜されたマガジンについてのみインベントリ処理を行えば、該インベントリの処理時間を短縮化することができる。すなわち、本発明では、マガジンの挿抜検知は、マガジン毎に行うことができるので、挿抜が行われていないマガジンについてのインベントリ処理を省略することができ、その結果、インベントリの処理時間を短縮化し、装置電源ＯＮ時の作業を効率的に行うことができる。
【図面の簡単な説明】
【０００９】
【図１】本発明に係るマガジンの挿抜表示装置の最小構成を示す図である。
【図２】本発明の第一実施形態に係るライブラリ装置の概略構成を示す図である。
【図３】（Ａ）図２のマガジンが抜き出された状態を示す外観図、（Ｂ）は媒体搬送機構上のピッカーを示す図である。
【図４】図２のフラグ機構を示す図である。
【図５】マガジンの抜き取り動作（１）を示す図である。
【図６】マガジンの抜き取り動作（２）を示す図である。
【図７】マガジンの抜き取り動作（３）を示す図である。
【図８】マガジンの抜き取り動作（４）を示す図である。
【図９】マガジンの再挿入動作（１）を示す図である。
【図１０】マガジンの再挿入動作（２）を示す図である。
【図１１】ピッカーセンサによるフラグ部材の検出動作（１）を示す図である。
【図１２】ピッカーセンサによるフラグ部材の検出動作（２）を示す図である。
【図１３】ピッカーアームによるフラグ部材の戻し動作（１）を示す図である。
【図１４】ピッカーアームによるフラグ部材の戻し動作（２）を示す図である。
【図１５】ピッカーアームによるフラグ部材の戻し動作（３）を示す図である。
【図１６】ピッカーアームによるフラグ部材の戻し動作（４）を示す図である。
【図１７】制御装置により実行されるインベントリ処理の手順を説明するためのフローチャートである。
【発明を実施するための形態】
【００１０】
図１は、本発明におけるマガジン挿抜表示装置の最小構成を示す図であり、筐体１の挿抜動作領域２内に直線的移動して格納されるマガジン１０及びその周辺に関する図である。
このマガジン１０には、筐体１側に設けられて該筐体１の挿抜動作領域２に向けて突出する突出部材３により移動操作されるフラグ部材Ｆを有し、該フラグ部材Ｆの位置に基づきマガジン１０の挿抜が検出されるフラグ機構２０が具備される。
このフラグ機構２０は、マガジン１０が筐体１の挿抜動作領域２内を移動して突出部材３と接触した際に、該突出部材３によりフラグ部材Ｆが移動操作される構成とされる（詳細は後述する）。
【００１１】
図２〜図１７は、本発明の第一実施形態を示すものである。
まず、図２及び図３（Ａ）を参照してマガジン１０（１０Ａ、１０Ｂ）が収容されるライブラリ装置１００について説明する。
このライブラリ装置１００は、装置の筐体1内にドライブ装置４、制御装置５、媒体搬送機構Ａを有し、筐体１の挿抜動作領域２内においてマガジン１０が着脱自在となる構成である。
【００１２】
マガジン１０は、ライブラリ装置１００の筐体１の前面側に設けられた挿入口１Ａから挿入されるものであって、前マガジン１０Ａと、後マガジン１０Ｂとからなる２つのマガジンが、挿抜動作領域２内にて、矢印（イ）−（ロ）方向に沿う前後方向（挿抜方向に沿う方向）に直列に収容される。
また、これらマガジン１０Ａ、１０Ｂは、それぞれ複数のセルを有しており、１つのセル毎に対応するカートリッジ１１を収容している。なお、本例では、図３（Ａ）に示されるように前マガジン１０Ａに横３列×縦３列、合計９個のカートリッジ１１が収容され、後マガジン１０Ｂに横２列×縦３列、合計６個のカートリッジ１１が収容されている。
カートリッジ１１は、コンピュータが読み書き（読み出し、書き込み）可能な記録媒体を収容しており、例えば、記録媒体としての磁気テープを収容したカートリッジが挙げられる。このカートリッジ１１は、マガジン１０に対して着脱自在である。
【００１３】
媒体搬送機構Ａは、前後方向（矢印（イ）‐（ロ）方向）への移動とともに、上下方向（矢印（ハ）‐（二）方向）への移動が可能であり、ライブラリ装置１００の筐体１内に収容されたマガジン１０のカートリッジ１１への自由なアクセスを可能とするアクセッサである。
そして、この媒体搬送機構Ａは、例えば所定のカートリッジ１１について読み出し又は書き込みの指示があった場合、そのカートリッジ１１の移送を行う。すなわち、媒体搬送機構Ａは、制御装置５からの指示に従って、指定されたカートリッジ１１をマガジン１０から抜き出し、ドライブ装置４へ移送し、そのスロットへ差し込む。カートリッジ１１の読み出し又は書き込みが終わると、媒体搬送機構Ａは、ドライブ装置４のスロットからカートリッジ１１を抜き出し、収容元のマガジン１０へ移送し、収容元のセルへ差し込む。
【００１４】
また、この媒体搬送機構Ａは、制御装置５からの指示に従って、筐体１内の挿抜動作領域２に収容された前マガジン１０Ａ、後マガジン１０Ｂを前方向（矢印（イ）方向）へ移動させ、筐体１の挿入口１Ａから取り出し可能とする。これとともに、この媒体搬送機構Ａでは、筐体１の挿入口１Ａから挿入された前マガジン１０Ａ又は後マガジン１０Ｂを、後方向（矢印（ロ）方向）へ移動させ、筐体１内の挿抜動作領域２の所定位置に収納可能とする。
【００１５】
また、図２及び図３（Ｂ）に示すように、媒体搬送機構Ａ上には、ピッカー１２が設置されている。
このピッカー１２は、突出位置にあるフラグ部材Ｆの先端部に接触するセンサシャフト１３と、該センサシャフト１３によるフラグ部材Ｆの接触を検知するピッカーセンサ１４と、突出位置にあるフラグ部材１２を退避位置となるように復帰させるピッカーアーム１５と、を有する。ピッカー１２の動作の詳細については後述する。
【００１６】
また、この媒体搬送機構Ａは、検出手段となるカメラ１６を備える。このカメラ１６は、インベントリを行う際に、セルに収容されたカートリッジ１１に付されたバーコード（記録コードの一例）を読み取るために使用される。また、カメラ１６は、媒体搬送機構Ａの位置決めを行う際に、セル毎に設けられたラッチレバー（セルに挿入されるカートリッジ１１を押さえるための部材）に付されたターゲットマークを読み取るためにも使用される。
【００１７】
ドライブ装置４は、媒体搬送機構Ａによりマガジン１０から搬送されたカートリッジ１１に対し、データの読み出し又はデータの書き込みを行うものである。
制御装置５は、ライブラリ装置１００の動作を制御する。例えば、操作者によりカートリッジ１１の読み出し指示を受けた場合、媒体搬送機構Ａに対してはカートリッジ１１の移送を行うように制御し、ドライブ装置４に対しては移送されたカートリッジ１１の読み出しを行うように制御する。また、この制御装置５は、筐体１の挿抜動作領域２内においてマガジン１０を挿抜する処理も行う。
【００１８】
次に、マガジン１０内に設けられるフラグ機構２０について、図４を参照して説明する。
まず、図４を参照して説明すると、フラグ機構２０は、フラグ部材Ｆとともに、フラグ用ばね２１、フラグロックレバー２２、傾斜面２３Ａを有するフラグロック解除レバー２３、ロック解除レバーばね２４等を主な構成要素としている。
【００１９】
フラグ部材Ｆは、マガジン本体１７の後端部にて、挿抜方向（矢印（イ）−（ロ）方向）と直交する方向である矢印ａ‐ｂ方向に移動可能に支持されたものである。そして、このフラグ部材Ｆは、矢印ａ方向に移動した場合に、マガジン１０の挿抜動作領域２から突出した突出位置となり、また、矢印ｂ方向に移動した場合に、マガジン１０内に収容された退避位置となる。
フラグ用ばね２１は、フラグ部材Ｆを矢印ａ方向に付勢して、マガジン１０の挿抜動作領域２の外側へ向けて突出させるものである。
【００２０】
フラグロックレバー２２は、フラグ部材Ｆの段部２５に係合可能な先端部２２Ａを有し、該先端部２２Ａが、フラグ部材Ｆの段部２５に係合することにより、フラグ用ばね２１の弾性力に抗して該フラグ部材Ｆを退避位置に保持する。
また、このフラグロックレバー２２は、その長さ方向に沿うように長孔２６が形成されており、この長孔２６内には、マガジン本体１７に固定された支持軸２７が挿通されている。これによりフラグロックレバー２２は、長孔２６に沿って相対移動する支持軸２７を中心として矢印ｃ−ｄ方向に搖動する。
【００２１】
フラグロック解除レバー２３は、全体としてＬ字状に形成され、かつマガジン本体１７側に固定された支持軸２３Ｂ及び該支持軸２３Ｂが貫通された長孔２３Ｃによりマガジン１０の挿抜方向（矢印（イ）−（ロ）方向）と直交する方向（矢印ｅ−ｆ方向）に移動可能に支持されている。また、このフラグロック解除レバー２３のＬ字状部（符号２８で示す）の先端部は、フラグロックレバー２２の後端部に対して、連結軸２９を介して回転自在に連結されている。
ロック解除レバーばね２４は、フラグロック解除レバー２３の挿抜動作領域２の外側である矢印ｅ方向に付勢して、該フラグロック解除レバー２３をマガジン本体１７から突出させるものである。
【００２２】
また、フラグロック解除レバー２３の突出側（図４では下側）先端の両側は、マガジン１０の挿抜方向（矢印（イ）−（ロ）方向）に対して傾斜する傾斜面２３Ａが変換部として形成されている。
この傾斜面２３Ａは、挿抜動作領域２に突出する筐体１側の突出部材３に接触可能な位置関係に配置されるものであって、マガジン１０（１０Ａ・１０Ｂ）が挿抜動作領域２に沿って矢印（イ）方向に引き出された場合に、該突出部材３に接触される。
なお、前記傾斜面２３Ａは、新たなマガジン（図示のマガジン１０Ａ・１０Ｂ以外の別のマガジン）がロック状態(図４に示すようにフラグ部材Ｆが引っ込んでいてフラグロックレバー２２により引っ込み状態に保持されている状態)にセットされて動作領域に挿入された場合であっても、前記（イ）方向への引き出しの場合と反対側で前記突出部材３に接触する。したがって、マガジンの挿入に伴い、引き出しの場合と同様にロックレバー２２によるロックを解除してフラグ部材Ｆを突出させ、新たなマガジンの挿入がセンサに検出されてインベントリ動作を行うことができる。
【００２３】
次に、上記のように構成されたフラグ機構２０の動作について、図５〜図１６を参照して説明する。なお、これら動作は筐体１内の制御装置５により実行される。
【００２４】
〔マガジンの抜き取り（図５〜図８）〕
図５〜図６に示されるように、マガジン１０（１０Ａ・１０Ｂ）が、筐体１の挿抜動作領域２から矢印（イ）方向に引き出される場合に、フラグロック解除レバー２３の傾斜面２３Ａが筐体１側の突出部材３に接触される。この状態で、マガジン１０（１０Ａ・１０Ｂ）がさらに矢印（イ）方向に引き出された場合には、筐体１側の突出部材３との接触及び摺動により、傾斜面２３Ａがフラグロック解除レバー２３を押し下げ、ロック解除レバーばね２４の付勢力に抗して、該フラグロック解除レバー２３を矢印ｆ方向に移動させる。
【００２５】
そして、図７〜図８に示されるように、フラグロック解除レバー２３の矢印ｆ方向への移動により、該フラグロック解除レバー２３に連結されるフラグロックレバー２２が支持軸２７を中心として矢印ｃ方向に回転する。この回転により、フラグロックレバー２２の先端部２２Ａによるフラグ部材Ｆの段部２５への係合が解除され。フラグ用ばね２１の付勢力により、フラグ部材Ｆが矢印ａ方向に移動し、マガジン１０の本体１７から突出する。また、フラグロック解除レバー２３が筐体１側の突出部材３を通過した後には、ロック解除レバーばね２４の付勢力により、該フラグロック解除レバー２３は矢印ｅ方向に移動して、元の位置に復帰する。
【００２６】
〔マガジン再挿入（図９〜図１０）〕
図５〜図８で述べたように、筐体１の挿抜動作領域２から引き出されたマガジン１０（１０Ａ・１０Ｂ）が、再度、筐体１の挿抜動作領域２に戻す場合には、図９〜図１０に示すように、該マガジン１０（１０Ａ・１０Ｂ）を、筐体１の挿入口１Ａを通じて矢印（ロ）方向に挿入する。
このとき、筐体１側の突出部材３との接触及び摺動により、傾斜面２３Ａを介してフラグロック解除レバー２３を矢印ｆ方向に移動させ、これに伴いフラグロックレバー２２が支持軸２７を中心として矢印ｃ方向に回転する。
しかし、このときフラグ部材Ｆは、マガジン１０の本体１７の突出位置にあり、フラグロックレバー２２の先端部２２Ａと、フラグ部材Ｆの段部２５とは離れているので、該フラグロックレバー２２の先端部２２Ａが段部２５と再係合して、該フラグ部材Ｆを矢印ｂ方向の退避位置に押し戻すことはない。
【００２７】
〔ピッカーセンサによるフラグ検出（図１１〜図１２）〕
上述したフラグ部材Ｆの突出状態は、マガジン１０（１０Ａ・１０Ｂ）が筐体１の挿抜動作領域２からから引き抜かれた後、再び、該挿抜動作領域２に挿入された場合にも、その突出状態が維持される。
その状態で、図１１〜図１２に示されるように、装置の電源ＯＮ時に、媒体搬送機構Ａを移動させて、ピッカー１２上のセンサシャフト１３及びピッカーセンサ１４でスキャンすることにより、フラグ機構２０のフラグ部材Ｆが突出位置にあるか否かを検出する。
そして、このとき、図１２に示されるように、ピッカー１２上のセンサシャフト１３を介して、ピッカーセンサ１４がフラグ部材Ｆの突出状態を検出した場合に、マガジン１０（１０Ａ・１０Ｂ）が筐体１の挿抜動作領域２から抜き出されたと判定する。一方、ピッカー１２上のセンサシャフト１３を介して、ピッカーセンサ１４がフラグ部材Ｆの退避状態を検出した（すなわち、フラグ部材Ｆが突出していない）場合に、マガジン１０（１０Ａ・１０Ｂ）が筐体１の挿抜動作領域２から抜き出されていないと判定する。
【００２８】
〔ピッカーアームによるフラグ戻し（図１３〜図１６）〕
図１１〜図１２の動作により、マガジン１０（１０Ａ・１０Ｂ）が筐体１の挿抜動作領域２から抜き出されたとの判定がなされた場合には、図１３〜図１６に示すように、媒体搬送機構Ａを移動させて、ピッカー１２上のピッカーアーム１５をフラグ部材Ｆの先端に当接させた上で、フラグ部材Ｆを矢印ｂ方向に押し込む。
そして、このとき、ピッカーアーム１５は、フラグ用ばね２１の付勢力に抗して、スキャン部材Ｆを矢印ｂ方向に押し込み、該フラグ部材Ｆの段部２５が、フラグロックレバー２２の先端部２２Ａを通過したとき、該フラグ部材Ｆをフラグロックレバー２２の先端部２２Ａと係合させる。これにより、フラグ部材Ｆが退避位置に押し戻され、かつフラグロックレバー２２の先端部２２Ａとの係合によりその位置が保持される。
【００２９】
次に、図１７を参照して、上記制御装置５により実行されるインベントリ処理の手順について、ステップ毎に説明する。
まず、操作者により、例えば、筐体１の挿抜動作領域２からマガジン１０が抜き取られて（ステップ１）、フラグ部材Ｆが突出状態（＝フラグが立つ状態）になった後（ステップ２）、該マガジン１０を筐体１の挿抜動作領域２に挿入しても（ステップ３）、該フラグ部材Ｆの突出状態はそのまま維持される（ステップ４）（図４〜図１２参照）。
その後、電源ＯＦＦとされた後、再び、電源ＯＮとされた場合に以下のステップ１０〜１７の処理が実行される。なお、上記ステップ１〜４の処理は一例であって、筐体１の挿抜動作領域２からマガジン１０が挿抜されない場合もある。
【００３０】
〔ステップ１０〕
装置の電源がＯＮとなった場合に次のステップ１１に進む。
【００３１】
〔ステップ１１〕
媒体搬送機構Ａを移動させて、ピッカー１２上のセンサシャフト１３及びピッカーセンサ１４でスキャンすることにより、マガジン１０の中の「前マガジン１０Ａ」のフラグ部材Ｆが突出位置にあるか否かを検出する。
【００３２】
〔ステップ１２〕
「前マガジン１０Ａ」のフラグ部材Ｆが突出位置にあるか否かを判定し、ＮＯの場合にステップ１３に進み、ＹＥＳの場合にステップ１４に進む。
【００３３】
〔ステップ１３〕
ステップ１２での「前マガジン１０Ａ」のフラグ部材Ｆが突出位置にないとの結果により、前マガジン１０Ａとともに後マガジン１０Ｂが筐体１の挿抜動作領域２から挿抜されていないと判定する。これにより、マガジン１０の状態に変化なしとして、媒体搬送機構Ａ上のカメラ１６によるインベントリ処理を実行せず、通常の動作に進む。
【００３４】
〔ステップ１４〕
媒体搬送機構Ａを移動させて、ピッカー１２上のセンサシャフト１３でスキャンすることにより、マガジン１０の中の「後マガジン１０Ｂ」のフラグ部材Ｆが突出位置にあるか否かを検出する。
【００３５】
〔ステップ１５〕
「後マガジン１０Ｂ」のフラグ部材Ｆが突出位置にあるか否かを判定し、ＮＯの場合にステップ１６に進み、ＹＥＳの場合にステップ１７に進む。
【００３６】
〔ステップ１６〕
ステップ１５での「後マガジン１０Ｂ」のフラグ部材Ｆが突出位置にないとの結果により、前マガジン１０Ａのみが筐体１の挿抜動作領域２から挿抜されたと判定する。これにより、後マガジン１０Ｂの状態に変化なしとして、媒体搬送機構Ａ上のカメラ１６によるインベントリ処理を実行せず、かつ前マガジン１０Ａのみ媒体搬送機構Ａ上のカメラ１６によるインベントリ処理を実行した後、通常の動作に進む。
【００３７】
〔ステップ１７〕
ステップ１５での「前マガジン１０Ａ」及び「後マガジン１０Ｂ」のフラグ部材Ｆがともに突出位置にあるとの結果により、前マガジン１０Ａ及び後マガジン１０Ｂの双方が筐体１の挿抜動作領域２から挿抜されたと判定する。これにより、前マガジン１０Ａ及び後マガジン１０Ｂの双方について、媒体搬送機構Ａ上のカメラ１６によるインベントリ処理を実行した後、通常の動作に進む。
【００３８】
以上詳細に説明したように本実施形態に示されるライブラリ装置１００によれば、筐体１の挿抜動作領域２からマガジン１０（１０Ａ、１０Ｂ）が抜き出された場合に、該筐体１側の突出部材３が、フラグ機構２０のフラグ部材Ｆを退避位置から突出位置に移動させるようにしている。これにより、筐体１の挿抜動作領域２からマガジン１０（１０Ａ、１０Ｂ）が抜き出された後、該筐体１の挿抜動作領域２に該マガジン１０（１０Ａ、１０Ｂ）が再挿入された場合に、筐体１内にて、該フラグ部材Ｆの突出又は退避を検出することにより、該マガジン１０（１０Ａ、１０Ｂ）が抜き出されたか否かを認識することができる。
【００３９】
そして、この認識結果に基づき、筐体１から挿抜されたマガジン１０（１０Ａ、１０Ｂ）についてのみインベントリ処理を行えば、該インベントリの処理時間を短縮化することができる。すなわち、本実施形態に示されるライブラリ装置１００では、マガジン１０（１０Ａ、１０Ｂ）の挿抜検知は、マガジン１０（１０Ａ、１０Ｂ）毎に行うことができるので、挿抜が行われていないマガジン１０（１０Ａ、１０Ｂ）についてのインベントリ処理を省略することができ、その結果、インベントリの処理時間を短縮化し、装置電源ＯＮ時の作業を効率的に行うことができる。
【００４０】
また、上記実施形態に示されるフラグ機構２０では、筐体１の挿抜動作領域２からマガジン１０（１０Ａ、１０Ｂ）が抜き出されたときに、フラグ機構２０のフラグ部材Ｆが突出状態になる。このとき、仮に操作者が、突出状態にあるフラグ部材Ｆに触れて、該フラグ部材Ｆを押し込み、フラグロックレバー２２と係合させて退避状態にしたとしても、その後、当該マガジン１０（１０Ａ、１０Ｂ）が筐体１の挿抜動作領域２に再挿入された際に、フラグロック解除レバー２３が筐体１側の突出部材３に接触して再度、フラグ機構２０のフラグ部材Ｆが突出状態になる。このため、操作者が誤ってフラグ部材Ｆに触れたとしても、そのときの誤接触が、その後のピッカーシャフト１３によるフラグ部材Ｆ検出に影響を与えることはない。
【００４１】
また、上記実施形態に示されるフラグ機構２０では、筐体１の挿抜動作領域２からマガジン１０（１０Ａ、１０Ｂ）が複数回挿抜されたとしても、フラグ機構２０のフラグ部材Ｆが一度、突出状態となればその状態を維持することができる。このため、本実施形態のライブラリ装置１００では、これまでの媒体収納装置のようにマガジンの挿抜毎に検出手段の結果が変動することがなく、フラグ部材Ｆにより挿抜結果を正確に表示することが可能となる。
【００４２】
なお、上記実施形態では、前マガジン１０Ａと後マガジン１０Ｂとからマガジン１０を構成したが、その数は、筐体１の挿抜動作領域２に設置されるマガジン１０は２つに限定されず、３つ以上であっても良い。このとき、各マガジン１０にフラグ機構２０を設置し、同様の筐体１からの挿抜検知を行うようにすると良い。
【００４３】
また、上記実施形態では、フラグ部材Ｆとともにフラグロック解除レバー２３を、マガジン１０の本体１７から筐体１の挿抜動作領域２に対して、垂直となるように突出させるようにしたが、これに限定されず、筐体１の挿抜動作領域２に対して斜めとなる交差方向に突出しても良い。
【００４４】
また、上記実施形態では、変換部として筐体１側の突出部材３と接触するフラグロック解除レバー２３上の先端に、傾斜面２３Ａを設けるようにしたが、これに限定されず、フラグロック解除レバー２３上の先端部に接触する突出部材３の先端に、同様に傾斜面を設けるようにしても良い。
【００４５】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００４６】
本発明は、データを読み書きできるカートリッジを複数収容可能なマガジンが、筐体から挿抜されたか否かを容易に検出するマガジンの挿抜表示装置及びこれを備えたライブラリ装置に関する。
【符号の説明】
【００４７】
１  筐体
２  挿抜動作領域
３  突出部材
４  ドライブ装置
５  制御装置
１０  マガジン
１０Ａ  前マガジン
１０Ｂ  後マガジン
１３  センサシャフト
１６  カメラ（検出手段）
２０  フラグ機構
２１  フラグ用ばね（第１の弾性部材）
２２  フラグロックレバー（ロック部材）
２３  フラグロック解除レバー（操作部材）
２３Ａ  傾斜面（変換部）
２４  ロック解除レバーばね（第２の弾性部材）
Ａ  媒体搬送機構（アクセッサ）
Ｆ  フラグ部材
【図１】
2014186765.tif 000003
【図２】
2014186765.tif 000004
【図３】
2014186765.tif 000005
【図４】
2014186765.tif 000006
【図５】
2014186765.tif 000007
【図６】
2014186765.tif 000008
【図７】
2014186765.tif 000009
【図８】
2014186765.tif 000010
【図９】
2014186765.tif 000011
【図１０】
2014186765.tif 000012
【図１１】
2014186765.tif 000013
【図１２】
2014186765.tif 000014
【図１３】
2014186765.tif 000015
【図１４】
2014186765.tif 000016
【図１５】
2014186765.tif 000017
【図１６】
2014186765.tif 000018
【図１７】
2014186765.tif 000019